(57)【特許請求の範囲】
【請求項１】
自立型装置の転倒防止足機構において、
前記自立型装置の底部の後部に設けられ移動のための手段を収納した第１のキャスタと、
前記自立型装置の底部の４隅に設けられ上下方向に調整可能なアジャスタプラパートと、
前記自立型装置の底部に、張り出し及び収納可能に設けられた少なくとも一つの転倒防止足と、
前記転倒防止足に取り付けられ移動のための手段を収納した第２のキャスタとを有し、
前記転倒防止足を、前記第１のキャスタにて支持してなす転倒角よりも前記第２のキャスタにて支持してなす転倒角を大きくする位置に張り出し可能にしたことを特徴とする自立型装置の転倒防止足機構。
【請求項２】
自立型装置の転倒防止足機構において、
前記自立型装置の底部の後部左右2個所に設けられた、移動のための手段を収納した第１のキャスタと上下方向に調整可能な第１のアジャスタプラパートと、
前記自立型装置の底部の前部左右端の2個所に凹みを設け、該凹みの天井部に設けたボスと、
前記ボスに取付けられ上下方向に調整可能な第２のアジャスタプラパートと、
前記第２のアジャスタプラパートの支軸を回転中心に回動可能に設けられた転倒防止足と、
前記転倒防止足の回転中心より離れた位置に取り付けられ移動のための手段を収納した第２のキャスタとを有し、
前記転倒防止足を回動して、張り出し位置または前記収納位置に固定可能にしたことを特徴とする自立型装置の転倒防止足機構。
【請求項３】
自立型装置の転倒防止足機構において、
前記自立型装置の底部の後部左右2個所に設けられ移動のための手段を収納した第１のキャスタと、
前記自立型装置の底部の４隅に設けられ上下方向に調整可能なアジャスタプラパートと、
前記自立型装置の底部の側面に設けられた凹みと、
前記自立型装置の底部の前部中央に取り付けられた転倒防止足と、
前記転倒防止足は、ほぼ中央部を回転中心に回動可能で、該転倒防止足の両端に取り付けられ移動のための手段を収納した第２のキャスタと、
該回転中心と一方の該第２のキャスタとの間に回転可能に連結され他端は前記底部の側面の凹みに連らなったリンクとを有し、
前記リンクを操作して、前記転倒防止足を回動し、張り出し位置または収納位置に固定可能にしたことを特徴とする自立型装置の転倒防止足機構。
【発明の詳細な説明】
【０００１】
【発明の属する技術分野】
本発明は、転倒防止足機構を有する自立型装置に関するものである。
【０００２】
【従来の技術】
例えば、従来、図５及び図６に示すように転倒防止足機構を有する自立型装置１がある。この種の自立型装置１は、装置が縦長で重心が高い場合、保守等の目的で移動したりすると転倒し易い。このため移動時においては、転倒角を大きく取るため、転倒防止足機構４、５を自立型装置１の外側に張り出してネジ１１等によって取付けている。また、設置が完了すると邪魔になるため外していた。転倒防止足機構４、５には、移動のためのローラを収納したキャスタ２が取付けられている。３は、自立型装置１を設置するのに使用するアジャスタプラパートで上下方向に調整が可能である。ここで、転倒角とは、重心からの垂線と床に接している部分との角度を示し、その角度以上に機器１が傾くと転倒する角度を意味する。
【０００３】
【発明が解決しようとする課題】
しかしながら、上記構成の自立型装置１の転倒防止足機構４、５は、自立型装置１を移動する時には、取付けし、また、設置時には、作業するのに出っ張っていて邪魔になるため取外さなければならない。このため作業性が悪く、さらに、取外した場合、保管場所の確保及び紛失という問題があった。
【０００４】
本発明は、このような従来の問題に鑑みてなされたものであり、転倒防止足機構を、自立型装置１を移動する時には取り出し、自立型装置１の設置完了時に収納する機構を提供することを目的としている。
【０００５】
【課題を解決するための手段】
本発明は、上述したような課題を解決して、上記の目的を達成するために、自立型装置の転倒防止足機構において、前記自立型装置の底部の後部に設けられ移動のための手段を収納したキャスタ１と、前記自立型装置の底部の４隅に設けられ上下方向に調整可能なアジャスタプラパートと、前記自立型装置の底部に、張り出し及び収納可能に設けられた少なくとも一つの転倒防止足と、前記転倒防止足に取り付けられ移動のための手段を収納したキャスタ２と、前記転倒防止足を、前記キャスタ１にて支持してなす転倒角よりも前記キャスタ２にて支持してなす転倒角を大きくする位置に張り出し可能にしたことを特徴としている。
【０００６】
【発明の実施の形態】
以下、本発明の自立型装置の転倒防止足機構について、詳細を図面を用いて説明する。なお、第１、第２の実施の形態及び従来の技術において、同一の構成には同一の符号を付す。
【０００７】
〔第１の実施の形態〕
図１は、第１の実施の形態の転倒防止足機構の斜視図、図２は、第１の実施の形態の転倒防止足機構のＡ部拡大斜視図である。
【０００８】
図１〜図２において、１は、自立型装置である。自立型装置１の底部１ａの後部には、移動のためのローラを収納したキャスタ２ａが間隔ｌで、また、上下方向に調整可能なアジャスタプラパート３が2個所取り付けられている。自立型装置１の底部１ａの前部左右には、凹み１ｂ、１ｃが形成されている。この凹み１ｂ、１ｃは、ほぼ同様の形状をしていて、転倒防止足７、８が収納可能となっている。凹み１ｂ、１ｃの天井部には、ボス１１、１２が固着されて、これに、アジャスタプラパート９、１０をナット９ａ、１０ｂにて取り付けると共にアジャスタプラパート９、１０の支軸９ｂ、１０ｂにより転倒防止足７、８を矢印Ｂ−Ｃ方向に回転可能に支持している。また、凹み１ｂ には、転倒防止足７を張り出し位置に固定するネジ穴１３と角穴１４、収納位置に固定するネジ穴１５と角穴１６が設けられている。また、凹み１ｃ には、同様に転倒防止足８の張り出し位置に固定するネジ穴と角穴、収納位置に固定するネジ穴と角穴が設けられている。
【０００９】
転倒防止足７、８は、ほぼ同様の形状をしていて、略Ｕ字状に形成された底部の一端には、アジャスタプラパート９、１０に嵌合する穴７ａ、８ａと、凹み１ｂの角穴１４ 、１６と対応する角穴７ｂと、凹み１ｂのネジ穴１３と１５ と対応するネジ７ｃが設けられ、さらに他の一端には移動のためのローラを収納したキャスタ２ｂが取り付けられている。この様な転倒防止足７、８は、底部１ａの前方左右の凹み１ｂ、１ｃにそれぞれ回動して収納出来るようになっている。２１は、固定金具で略Ｌ字形をしていて、一方の突起部２１ａと他方の突起部に設けられた固定ネジ穴２１ｂによって、転倒防止足７、８を凹み１ｂ、１ｃのそれぞれの位置に固定ネジ２２で取り付ける。
【００１０】
上述のように構成された転倒防止足機構の動作について説明する。まず自立型装置１を移動するときには、自立型装置１の底部１ａの前方左右の凹み１ｂ、１ｃに、それぞれ収納されている転倒防止足７、８を、アジャスタプラパート９、１０の支軸９ｂ、１０ｂを中心に矢印Ｂ方向に回動させて、自立型装置１の外側に張り出す。この時、キャスター２ｂの間隔はＬになる。張り出し位置に固定するには、転倒防止足７の角穴７ｂ と凹み１ｂの角穴１４を合わせ、固定金具２１の突起部２１ａを差し込み、固定金具２１の固定ネジ穴２１ｂ、凹み１ｂのネジ穴１３に、固定ネジ２２を挿入してネジ７ｃに締める。転倒防止足８についても同様である。次に、4隅のアジャスタプラパート９、１０のナット９ａ、１０ａを緩め床６から離しキャスター２ａ、２ｂにて移動する。キャスター２ｂの間隔Ｌはキャスター２ａの間隔ｌよりも大きいので、重心からの垂線と床に接している部分との角度(転倒角)が大きくなり、移動中に転倒し難くなる。
【００１１】
また、設置する場合は、４隅のアジャスタプラパート２を床６の傾きや凸凹に対応して上下方向に調整し床６に接しさせナット９ａ、１０ａを回転し締めた後、それぞれ張り出して固定されている転倒防止足７、８を固定している固定ネジ２２と固定金具２１を外す。転倒防止足７、８をアジャスタプラパート９、１０の支軸９ｂ、１０ｂを中心に矢印Ｃ方向に回動させて、自立型装置１の底部１ａの前方左右の凹み１ｂ、１ｃにそれぞれ収納する。収納位置に固定するには、転倒防止足７の角穴７ｂ と凹み１ｂの角穴１６を合わせ固定金具２１の突起部２１ａを差し込み、固定金具２１の固定ネジ穴２１ｂ、凹み１ｂのネジ穴１５に、固定ネジ２２を挿入してネジ７ｃに締める。転倒防止足８についても同様である。
【００１２】
〔第２の実施の形態〕
図３は、第２の実施の形態の自立型装置の転倒防止足機構の斜視図、図４は、第２の実施の形態の自立型装置の転倒防止足機構の底面図である。
【００１３】
図３〜図４において、１は、自立型装置である。自立型装置１の底部１ａの４隅には上下方向に調整可能なアジャスタプラパート３が、底部１ａの後部には、移動のためのローラを収納したキャスタ２ａが2個所間隔ｌで取り付けられ、また、底部１ａの前部の中央には、略Ｕ型の転倒防止足３１が中央部をショルダスクリュウ３２によって回転可能に取り付けられている。転倒防止足３１の両端には移動のためのローラを収納したキャスタ２ｂが間隔Ｌで取り付けられ、転倒防止足３１のショルダスクリュウ３２と一方のキャスタ２の間にはリンク３３が回動可能に連結されている。リンク３３の他端は略Ｕ字状に形成され、それの最端は取っ手部３３ａを形成し、自立型装置１の底部１ａの側面に設けられた凹み１ｄに収納されている。凹み１ｄの天井部には、ネジ３５と、ネジ３６が設けられている。また、リンク３３の略Ｕ字状に形成された取っ手部３３ａの底部にはネジ穴が設けられており、前記ネジ３５と、ネジ３６につまみネジ３４にて転倒防止足３１を張り出し位置と、収納位置に固定するようになっている。
【００１４】
上述のように構成された転倒防止足機構の動作について説明する。
【００１５】
自立型装置１を移動するときには、自立型装置１の底部１ａの側面に設けられた凹み１ｄの取っ手部３３ａのつまみネジ３４を緩めて外す。取っ手部３３ａを矢印Ｍ方向に引張ると、底部１ａの下部に収納されている転倒防止足３１がショルダスクリュウ３２を中心にしてＧ方向に回動を始める。次に、リンク３３をＫ方向に押してさらにＧ方向に回動する。 凹み１ｄの天井部のネジ３５に取っ手部３３ａの底部のネジ穴を合わせ、つまみネジ３４を挿入して固定する。
【００１６】
次に、4隅のアジャスタプラパート３を床６から離しキャスター２ａ、２ｂにて移動する。後部のキャスタ２ａの間隔ｌよりも転倒防止足３１のキャスタ２ｂの間隔Ｌを大きくしているので、重心からの垂線と床に接しているの部分との角度(転倒角)が大きくなり、移動中に転倒し難くなる。
【００１７】
また、設置する場合は、４隅のアジャスタプラパート３を床６の傾きや凸凹に対応して上下方向に調整し床６に接しさせた後、底部１ａの側面に設けられた凹み１ｄの取っ手部３３ａのつまみネジ３４を緩めて外す。取っ手部３３ａを矢印Ｍ方向に引張ると、底部１ａの下部に収納されている転倒防止足３１がショルダスクリュウ３２を中心にしてＨ方向に回動を始める。次に、リンク３３をＫ方向に押してさらにＨ方向に回動して収納する。 凹み１ｄの天井部のネジ３６に取っ手部３３ａの底部のネジ穴を合わせ、つまみネジ３４を挿入して固定する。
【００１８】
【発明の効果】
以上、述べたように、第１、第２の実施の形態によれば、自立型装置を移動する時には、転倒防止足機構を取付けし、また、設置時には、作業するのに出っ張っていて邪魔になるため取外さなければならない。このため作業性が悪く、さらに、取外した場合、保管場所の確保及び紛失という問題を解決出来る。
【図面の簡単な説明】
【図１】第１の実施の形態の転倒防止足機構の斜視図である。
【図２】第１の実施の形態の転倒防止機構のＡ部拡大斜視図である。
【図３】第２の実施の形態の転倒防止足機構の斜視図である。
【図４】第２の実施の形態の転倒防止足機構の底面図である。
【図５】従来の技術を示す自立型装置の正面図である。
【図６】従来の技術を示す自立型装置の斜視図である。
【符号の説明】
１  自立型装置
２  キャスタ
３  アジャスタプラパート
７、８  転倒防止足
９、１０  アジャスタプラパート
３１  転倒防止足
３３  リンク
３４  つまみネジ
【図１】
0003872241.tif 000002
【図２】
0003872241.tif 000003
【図３】
0003872241.tif 000004
【図４】
0003872241.tif 000005
【図５】
0003872241.tif 000006
【図６】
0003872241.tif 000007